(57)【特許請求の範囲】
【請求項１】
窓孔が形成された本体部と、前記窓孔内に突出するように前記窓孔の上辺部及び下辺部に設けられた断面略円状の軸受け部とを有する化粧プレートと；
窓孔を閉塞するように上下に隣合って配設された複数のハンドルと；
前記隣合うハンドルの間に配設される断面略円状の連結用軸部材と；
前記化粧プレートの軸受け部と嵌合するとともに、前記連結用軸部材と嵌合するように前記ハンドルの上部及び下部に円弧状に形成される嵌合溝と；
を具備することを特徴とするプレート部材。
【請求項２】
配線器具本体と；
配線器具本体が配設されるサポートと；
サポートに取付けられるアダプタと；
配線器具本体及びアダプタに取付けられる請求項１記載のプレート部材と；
を具備することを特徴とする配線器具。
【発明の詳細な説明】
【０００１】
【発明の属する技術分野】
本発明は、サポート部材および配線器具に関する。
【０００２】
【従来の技術】
従来、スイッチやコンセント等のような一般的な配線器具は、作用部と一体となった配線器具本体を取付枠であるサポートに取り付け、営造物である壁面に埋め込まれた配線ボックスから引き出された配線を配線器具本体に接続した上でサポートを配線ボックスにねじ止めし、必要であればサポートにアダプタを配設し、配線器具本体の作用部を露出させた状態でサポート等を覆う化粧プレートを取り付けることで壁面に設置している。なお、配線器具の「作用部」というのは、その配線器具が壁面等に取付けられた状態で人が作用を奏する部分を意味し、例えば、スイッチの場合であればスイッチ操作部、コンセントの場合であればプラグ挿入部が「作用部」に該当する。
【０００３】
また近年、切換え操作を行ない易く、かつ、操作部の判別をより認識し易くできるワイドスイッチ形（以下、「ワイド形」という。）の配線器具も普及している。
【０００４】
このワイド形の配線器具の取付けは、作用部が設けられていない状態の配線器具本体を取付枠であるサポートに取り付け、営造物である壁面に埋め込まれた配線ボックスから引き出された配線を配線器具本体に接続した上でサポートを配線ボックスにねじ止めし、このサポートにアダプタを配設し、サポート等を覆う化粧プレートをアダプタに取付ける。そして、化粧プレートの窓孔を閉塞するように作用部であるハンドルを配線器具本体へ直接取付けていた。
【０００５】
【発明が解決しようとする課題】
しかしながら、従来のワイド形の配線器具の取付けは、一般的な配線器具の取付け方法と異なっているために、一般的な配線器具とワイド形の配線器具とを取付ける必要がある現場等では施工者が２種類の取付け作業を行なわなくてはならず、作業が大変煩雑となるという課題があった。
【０００６】
また、一般的な配線器具は、配線器具本体と、サポートと、必要であればアダプタと、化粧プレートとを組合わせることによって配線器具の選定を行なっていたが、ワイド形の配線器具は、作用部を有さない配線器具本体と、サポートと、必要であればアダプタと、化粧プレートと、ハンドルとを組み合わせて配線器具の選定を行なわなければならず、施工者及び使用者の選定作業が大変煩雑となるという課題もあった。
【０００７】
本発明は上記に鑑みなされたものであり、施工性を向上させるとともに、選定作業も容易とすることができるワイド形の配線器具を提供することを目的とする。
【課題を解決するための手段】
請求項１記載のプレート部材は、窓孔が形成された本体部と、前記窓孔内に突出するように前記窓孔の上辺部及び下辺部に設けられた断面略円状軸受け部とを有する化粧プレートと；窓孔を閉塞するように上下に隣合って配設された複数のハンドルと；前記隣合うハンドルの間に配設される断面略円状の連結用軸部材と；前記化粧プレートの軸受け部と嵌合するとともに、前記連結用軸部材と嵌合するように前記ハンドルの上部及び下部に円弧状に形成される嵌合溝と；を具備することを特徴とする。
【０００８】
請求項１の発明によれば、窓孔が形成された本体部と、前記窓孔内に突出するように前記窓孔の上辺部及び下辺部に設けられた断面略円状軸受け部とを有する化粧プレートと；窓孔を閉塞するように上下に隣合って配設された複数のハンドルと；前記隣合うハンドルの間に配設される断面略円状の連結用軸部材と；前記化粧プレートの軸受け部と嵌合するとともに、前記連結用軸部材と嵌合するように前記ハンドルの上部及び下部に円弧状に形成される嵌合溝と；を具備するプレート部材であることにより、複数のハンドルであっても化粧プレートとハンドルとを全て一体で取り扱うことができるので、施工性を向上させることができるとともに、選定作業も容易とすることができる
【０００９】
また、化粧プレートの軸受け部とハンドルの嵌合部とが嵌合することによって、ハンドルの軸部が支点となるので、ハンドルの反転操作を安定させることができる。
【００１２】
請求項２の配線器具は、配線器具本体と；配線器具本体が配設されるサポートと；サポートに取付けられるアダプタと；配線器具本体及びアダプタに取付けられる請求項１記載のプレート部材と；を具備することを特徴とする。
【００１３】
請求項２の発明によれば、請求項１の発明と同様の作用効果を有する。
【００１７】
図１は本願発明の参考例である化粧プレートを示す正面図、図２は同じくハンドルであるスイッチカバーを示す説明図、図３は同じく配線器具本体を示す正面図、図４は同じくサポートを示す正面図、図５は同じくアダプタを示す正面図、図６は同じく配線器具、サポート及びアダプタを取付けた状態を示す正面図、図７は同じくプレート部材を示す正面図、図８は配線器具を示す断面図、図１０は一般的な配線器具を示す斜視図である。
【００１８】
１は化粧プレートであり、合成樹脂からなり、図１に示すように略中央部に窓孔１１が形成された本体部１２と、この窓孔１１の長手方向における上下辺１１ａ、１１ｂの略中央部に窓孔１１に突出するように軸受け部１３、１３が設けられている。
【００１９】
なお、この軸受け部１３は断面が略円状となるように形成されておる。また、後述するアダプタ５に設けられた化粧プレート取付孔５４，５４…に嵌合するように図示しない突起部を本体部１２の裏側に設けている。
【００２０】
２はハンドルであるスイッチカバーであり、合成樹脂からなり、図２に示すように窓孔１１と略同様の大きさに本体２１が形成されており、図２（ｂ）に示すように、本体２１の裏側２１ａに突出する嵌合部２２，２２が設けられている。
【００２１】
この嵌合部２２，２２は図２（ｃ）に示すように、軸受け部１３が嵌入される嵌合溝２２ａが円弧状に形成されている。
【００２２】
なお、本体２１の裏側２１ａには後述する配線器具本体３のハンドル受け３５に係合保持される図示しない保持部が形成されている。
【００２３】
３は配線器具本体であり、図３に示すように、合成樹脂製であり内部に構造物を収納するケース体３１、このケース体３１の上側に合成樹脂製であるカバー３２とを備え、これらこれらケース体３１およびカバー３２の内側に、端子金具などが収納される。また、ケース体３１とカバー３２とがステンレスなどの金属製の前後一対の止め金具３３をカシメて固定されている。なお、この止め金具３３は、止め金具３３の側方に突出するように係止爪３６が設けられている。
【００２４】
また、配線器具本体３は、カバー３２から突出し、かつ、揺動自在に支持された支持部３４を備えており、この支持部３４には金属製のハンドル受け３５が取付けられている。
【００２５】
４はサポートであり、図４に示したように、亜鉛クロマイトメッキを施した鉄（ＳＰＣＣ）などの金属製の枠状をなす枠部４１を備えており、この枠部４１の内側に、配線器具本体３を例えば縦に最大３個取付可能な開口部４２及び一対の器具支持部４３、４３が形成されている。この器具支持部４３は、開口部４２を挟んで対向配置された２辺である。さらに、この枠部４１の上下には、長孔状の壁面取付用ねじ孔４４が形成され、さらに、枠部４１の上下には、アダプタ取付用ねじ孔４５が形成されている。
【００２６】
またサポート４は、一方の器具支持部４３ａに係合係止部４６を備え、他方の器具支持部４３ｂには可動係止部４７を備え、これらの係合係止部４６と可動係止部４７とに配線器具本体３を係止させて固定する。
【００２７】
係合係止部４６は、配線器具本体３が並列配置された場合、それらの配線器具本体３の各々の係止爪３６が挿入され得る位置に形成されている。
【００２８】
可動係止部４７は、係合係止部４６と対向する器具支持部４３ｂに３箇所それぞれ設けられ、その器具支持部４３ｂの裏面に当接支持された配線器具本体３の係止爪３６を器具支持部４３ｂの裏面と可動係止部４７との間で挟持し、弾性変形することによって挟持する。
【００２９】
５はアダプタであり、図５に示すように、合成樹脂からなり、両端部５１、５１の内側にサポート４の開口部４２と対向するように窓部５２が形成されている。そして、アダプタ取付用ねじ孔４５に螺合するアダプタ取付用ねじが挿入されるねじ挿入孔５３が設けられているとともに、化粧プレート１が嵌合して取付けられるための取付孔５４、５４…が設けられている。
【００３０】
本参考例の取付けは、まず、サポート４の一面側である背面側から器具支持部４３ａの係合係止部４６へ配線器具本体３の一方の係止爪３６を係止させる。そして、係合係止部４６に係止させた係止爪３６を支点として他方の器具支持部４３ｂの可動係止部４７に係止させるようにサポート４の他面側である正面側へ回動させることによって他方の係止爪３６を可動係止部４７へ係止させ、配線器具本体３をサポート４に取付ける。次に、配線器具本体３が取付けられたサポート４を壁面等に埋め込まれた例えば図示しない配線ボックス等にサポート取付用ねじによって取付ける。
【００３１】
そして、壁面に取付けられたサポート４にアダプタ５をアダプタ取付用ねじによって取付ける（図６参照）。
【００３２】
一方、化粧プレート１とスイッチカバー２とは、化粧プレート１の軸受け部１３と嵌合部２２の嵌合溝２２ａとを相対させるとともに嵌合させ、化粧プレート１とスイッチカバー２とを一体としたプレート部材１０を形成する（図７参照）。
【００３３】
そして、サポート４に取付けられたアダプタ５の取付孔５４,５４…とプレート部材１０の化粧プレート１の図示しない突起とを嵌合させるとともに、配線器具本体３のハンドル受け３５にスイッチカバー２の図示しない保持部を係合させることによってプレート部材１０が壁面に取付けられてワイド形である配線器具１００となる（図８参照）。
【００３４】
本参考例によれば、窓孔１１が形成された本体部１２と、本体部１２に設けられ、かつ、窓孔１１内に突出するように設けられた軸受け部１３とを有する化粧プレート１と、窓孔１１を閉塞するような寸法に本体２１が形成され、かつ、軸受け部１３と嵌合するように形成された嵌合部２２を有するハンドル２とが、軸受け部１３と嵌合部２２とを嵌合させるのみで化粧プレート１とスイッチカバー２とを一体としたプレート部材１０として取り扱うことができるので、配線器具１００を壁面等に取付ける際の施工性を向上させることができる。また、このような施工手順であるとワイド形である配線器具１００以外の図１０に示したような一般的な配線器具９０と施工手順を同様とすることができるので、配線器具１００、配線器具９０を複数設けるような現場の施工者の作業効率が飛躍的に向上する。さらにまた、化粧プレート１とスイッチカバー２とを一体としたプレート部材１０であるので、ワイド形配線器具であっても施工者又は使用者の選定作業が容易とすることができる。
【００３５】
また、化粧プレート１の軸受け部１３は上下辺１１ａ、１１ｂの略中央部に設けられているので、支点プレート部材１０を壁面等に取付けた際にスイッチカバー２の嵌合部２２が支点となり、スイッチカバー２の反転操作を安定させることができる。
【００３６】
また、軸受け部１３が断面略円状であり、嵌合部２２の嵌合溝２２ａが円弧状で形成されているので、より安定的なスイッチカバー２の反転操作を行なうことができる。
【００３７】
次に本願発明の第一実施形態について説明する。
【００３８】
図９は第一実施形態のハンドルであるスイッチカバーを示す説明図である。
【００３９】
スイッチカバー２０は、化粧プレート１の窓孔１１の約２分の１の大きさで形成されているスイッチカバー部材２０ａが２個連設されて形成されている。
【００４０】
スイッチカバー部材２０ａは、図９の（ｂ）に示すように本体２０ａの裏側２０ｂに突出する嵌合部２２、２２が形成されるとともに、隣接して設けられるスイッチカバー部材部材２０ａ１と２０ａ２には嵌合部２２，２２間に連結用軸部材２２ｃ（断面略円状で形成されている。）が設けられている。
【００４１】
本実施形態は、まず、スイッチカバー部材２０ａ1、２０ａ２を連結用軸部材２２ｃを用いて一体としたスイッチカバー２０を形成する。そして、このスイッチカバー２０を化粧プレート１の軸受け部１３とスイッチカバー部材２０ａ１又はスイッチカバー部材２０ａ２の嵌合部２２の嵌合溝２２ａとを相対させるとともに嵌合させ、化粧プレート１とスイッチカバー２０とを一体としたプレート部材１０Ａを形成する。これ以外は参考例と同様であるので省略する。
【００４２】
本実施形態によれば、スイッチカバー２０は、２つのスイッチカバー部材２０ａからなり、隣合うスイッチカバー部材２０ａ１と２０ａ２との嵌合部２２，２２間には連結用軸部材２２ｃが設けられることにより、複数のスイッチカバー部材２０ａからなるスイッチカバー２０であっても、化粧プレート１とスイッチカバー２０とを一体で取り扱うことができる。
【発明の効果】
請求項１記載の発明によれば、窓孔が形成された本体部と、前記窓孔内に突出するように前記窓孔の上辺部及び下辺部に設けられた断面略円状軸受け部とを有する化粧プレートと；窓孔を閉塞するように上下に隣合って配設された複数のハンドルと；前記隣合うハンドルの間に配設される断面略円状の連結用軸部材と；前記化粧プレートの軸受け部と嵌合するとともに、前記連結用軸部材と嵌合するように前記ハンドルの上部及び下部に円弧状に形成される嵌合溝と；を具備するプレート部材であることにより、複数のハンドルであっても化粧プレートとハンドルとを全て一体で取り扱うことができるので、施工性を向上させることができるとともに、選定作業も容易とすることができる。
【００４３】
また、化粧プレートの軸受け部とハンドルの嵌合部とが嵌合することによって、ハンドルの軸部が支点となるので、ハンドルの反転操作を安定させることができる。
【００４５】
請求項２の発明によれば、請求項１の発明と同様の作用効果を有する。
【図面の簡単な説明】
【図１】参考例の化粧プレートを示す正面図
【図２】同じくハンドルであるスイッチカバーを示す説明図
【図３】同じく配線器具本体を示す正面図
【図４】同じくサポートを示す正面図
【図５】同じくアダプタを示す正面図
【図６】図６は同じく配線器具、サポート及びアダプタを取付けた状態を示す正面図
【図７】同じくプレート部材を示す正面図
【図８】同じく配線器具を示す断面図
【図９】第一実施形態のハンドルであるスイッチカバーを示す説明図
【図１０】一般的な配線器具を示す斜視図である。
【図１】
0004025808.tif 000002
【図２】
0004025808.tif 000003
【図３】
0004025808.tif 000004
【図４】
0004025808.tif 000005
【図５】
0004025808.tif 000006
【図６】
0004025808.tif 000007
【図７】
0004025808.tif 000008
【図８】
0004025808.tif 000009
【図９】
0004025808.tif 000010
【図１０】
0004025808.tif 000011